(57)【特許請求の範囲】
【請求項１】
局側伝送装置との間で、コンピュータによるソフトウェア処理で通信路を確立し、その通信路確立後、運用・管理・保守用のＯＡＭ情報通信路を確立してＯＡＭ情報の送受信及び通信路を介してデータフレームの送受信を行う加入者側伝送装置において、
ソフトウェア処理を行うコンピュータとは別にハードウェア処理を行うものであって、コンピュータ再起動によっても継続して信号処理を行う加入者側処理手段を備え、
上記加入者側処理手段が、
ソフトウェア処理による上記局側伝送装置との間の通信路の確立後、運用・管理・保守用のＯＡＭ情報を周期的に通信するためのＯＡＭ情報通信路を確立し、そのＯＡＭ情報通信路を通じて受信したＯＡＭ情報をソフトウェアに与え又は送信すべきＯＡＭ情報をソフトウェアから取得して送信するＯＡＭ情報処理部と、
ソフトウェア処理による上記局側伝送装置との間の通信路の確立後、上記局側伝送装置に対して送信要求量を示すレポート情報を送信するレポート処理部と、
上記局側伝送装置から送信開始時刻及び送信許可量を示すゲート情報を取得し、そのゲート情報に基づく送信開始時刻に許可された送信許可量のデータフレームの出力をさせるゲート処理部と
を有することを特徴とする加入者側伝送装置。
【請求項２】
接続される１又は複数の加入者側伝送装置との間で、コンピュータによるソフトウェア処理で通信路を確立し、その通信路確立後、運用・管理・保守用のＯＡＭ情報通信路を確立してＯＡＭ情報の送受信及び通信路を介してデータフレームデータの送受信を行う局側伝送装置において、
ソフトウェア処理を行うコンピュータとは別にハードウェア処理を行うものであって、コンピュータ再起動によっても継続して信号処理を行う局側処理手段と、
ソフトウェア処理により、上記１又は複数の加入者側伝送装置毎のデータフレーム伝送に関する送信開始時刻及び送信許可量を求める伝送制御情報算出手段と、
上記局側処理手段が、
上記伝送制御情報算出手段により求められた上記各加入者側伝送装置の送信開始時刻及び送信許可量を記憶する伝送制御情報記憶部と、
通常時は、上記伝送制御情報算出手段により求められた上記各加入者側伝送装置の送信開始時刻及び送信許可量を示すゲート情報を上記各加入者側伝送装置に送信し、又コンピュータ再起動時には、上記伝送制御情報記憶部に記憶される上記各加入者側伝送装置の送信開始時刻及び送信許可量を示すゲート情報を上記各加入者側伝送装置に送信する伝送制御処理部と、
ソフトウェアから取得した上記各加入者側伝送装置のＯＡＭ情報を記憶するＯＡＭ情報記憶部と、
ソフトウェア処理による上記各加入者側伝送装置との間の通信路の確立後、運用・管理・保守用のＯＡＭ情報を周期的に通信するためのＯＡＭ情報通信路を確立し、通常時は、そのＯＡＭ情報通信路を通じて受信したＯＡＭ情報をソフトウェアに与え又は送信すべきＯＡＭ情報をソフトウェアから取得して送信し、又コンピュータ再起動時は、上記ＯＡＭ情報記憶部に記憶される上記各加入者側伝送装置のＯＡＭ情報を上記各加入者側伝送装置に送信するＯＡＭ情報処理部と
を有することを特徴とする局側伝送装置。
【請求項３】
局側伝送装置と、上記局側伝送装置と接続される１又は複数の加入者側伝送装置との間でデータの送受信を行う伝送制御システムにおいて、
上記局側伝送装置が、
ソフトウェア処理を行うコンピュータとは別にハードウェア処理を行うものであって、コンピュータ再起動によっても継続して信号処理を行う局側処理手段と、
ソフトウェア処理により、上記１又は複数の加入者側伝送装置毎のデータフレーム伝送に関する送信開始時刻及び送信許可量を求める伝送制御情報算出手段と、
上記局側処理手段が、
上記伝送制御情報算出手段により求められた上記各加入者側伝送装置の送信開始時刻及び送信許可量を記憶する伝送制御情報記憶部と、
通常時は、上記伝送制御情報算出手段により求められた上記各加入者側伝送装置の送信開始時刻及び送信許可量を示すゲート情報を上記各加入者側伝送装置に送信し、又コンピュータ再起動時には、上記伝送制御情報記憶部に記憶される上記各加入者側伝送装置の送信開始時刻及び送信許可量を示すゲート情報を上記各加入者側伝送装置に送信する伝送制御処理部と、
ソフトウェアから取得した上記各加入者側伝送装置のＯＡＭ情報を記憶するＯＡＭ情報記憶部と、
ソフトウェア処理による上記各加入者側伝送装置との間の通信路の確立後、運用・管理・保守用のＯＡＭ情報を周期的に通信するためのＯＡＭ情報通信路を確立し、通常時は、そのＯＡＭ情報通信路を通じて受信したＯＡＭ情報をソフトウェアに与え又は送信すべきＯＡＭ情報をソフトウェアから取得して送信し、又コンピュータ再起動時は、上記ＯＡＭ情報記憶部に記憶される上記各加入者側伝送装置のＯＡＭ情報を上記各加入者側伝送装置に送信するＯＡＭ情報処理部と
を有する
ことを特徴とする伝送制御システム。
【請求項４】
局側伝送装置と、上記局側伝送装置と接続される１又は複数の加入者側伝送装置との間でデータの送受信を行う伝送制御システムにおいて、
上記各加入者側伝送装置が、
ソフトウェア処理を行うコンピュータとは別にハードウェア処理を行うものであって、コンピュータ再起動によっても継続して信号処理を行う加入者側処理手段を備え、
上記加入者側処理手段が、
ソフトウェア処理による上記局側伝送装置との間の通信路の確立後、運用・管理・保守用のＯＡＭ情報を周期的に通信するためのＯＡＭ情報通信路を確立し、そのＯＡＭ情報通信路を通じて受信したＯＡＭ情報をソフトウェアに与え又は送信すべきＯＡＭ情報をソフトウェアから取得して送信するＯＡＭ情報処理部と、
ソフトウェア処理による上記局側伝送装置との間の通信路の確立後、上記局側伝送装置に対して送信要求量を示すレポート情報を送信するレポート処理部と、
上記局側伝送装置から送信開始時刻及び送信許可量を示すゲート情報を取得し、そのゲート情報に基づく送信開始時刻に許可された送信許可量のデータフレームの出力をさせるゲート処理部と
を有し、
上記局側伝送装置が、再起動対象の上記各加入者側伝送装置に対するコンピュータ再起動指示前に、当該再起動対象の上記各加入者側伝送装置の上記ＯＡＭ情報処理部との間で確立したＯＡＭ情報通信路の監視を停止する
ことを特徴とする伝送制御システム。
【発明の詳細な説明】
【技術分野】
【０００１】
本発明は、伝送制御システム、加入者側伝送装置及び局側伝送装置に関し、例えば、伝送システムにおいて、ソフトウェア更新等に伴うＣＰＵ再起動中でも、正常に主信号導通が継続できる伝送制御システム、加入者側伝送装置及び局側伝送装置に適用し得るものである。
【背景技術】
【０００２】
近年、一般個人宅へ高速・広帯域なブロードバンドサービスを提供する目的で、伝送路に光ファイバを用いたＦＴＴＨ（Ｆｉｂｅｒ  Ｔｏ  Ｔｈｅ  Ｈｏｍｅ）と呼ばれるアクセス網が普及してきており、ＦＴＴＨによるブロードバンドサービスの提供には、ＰＯＮ（Ｐａｓｓｉｖｅ  Ｏｐｔｉｃａｌ  Ｎｅｔｗｏｒｋ）と呼ばれる光アクセスシステムが多く利用されている。
【０００３】
ＰＯＮシステムは、図３に示すように、１つの局側光回線終端装置（ＯＬＴ：Ｏｐｔｉｃａｌ  Ｌｉｎｅ  Ｔｅｒｍｉｎａｌ）と複数の加入者宅側光回線終端装置（ＯＮＵ：Ｏｐｔｉｃａｌ  Ｎｅｔｗｏｒｋ  Ｕｎｉｔ）を、光スプリッタ（例えば、光カプラ等）と呼ばれる光受動素子を用いて１本の光ケーブルを分岐させて１対多に接続する構成であり、光ファイバや伝送装置を複数の加入者で共有することにより、経済的にＦＴＴＨサービスを提供することが可能である。
【０００４】
ＰＯＮシステムでは、一般的に、ＯＬＴからＯＮＵへの通信およびＯＮＵからＯＬＴへの通信には、それぞれ異なる波長を用いたＷＤＭ（Ｗａｖｅｌｅｎｇｔｈ  Ｄｉｖｉｓｉｏｎ  Ｍｕｌｔｉｐｌｅｘｉｎｇ）方式を利用している。また、１本のファイバを複数ＯＮＵで共用しているため、ＯＮＵからＯＬＴへの通信は、例えばＴＤＭＡ（Ｔｉｍｅ  Ｄｉｖｉｓｉｏｎ  Ｍｕｌｔｉｐｌｅ  Ａｃｃｅｓｓ）方式を用いて、各ＯＮＵからの信号の衝突を回避している。
【０００５】
ＰＯＮシステムを用いたアクセスネットワークとしては、プロトコルにギガビットイーサネットを用い、ＩＥＥＥ  Ｓｔｄ  ８０２．３ａｈとして標準化されているＧＥ−ＰＯＮ（Ｇｉｇａｂｉｔ  Ｅｔｈｅｒｎｅｔ  ＰＯＮ）と呼ばれるものがある。ＧＥ−ＰＯＮでは、上記ＴＤＭＡによるアクセス制御のために、Ｍｕｌｔｉ−ｐｏｉｎｔ  ＭＡＣ  Ｃｏｎｔｒｏｌ（ＭＰＣＰ）と呼ばれる制御機能を規定しており、ＭＡＣ  Ｃｏｎｔｒｏｌフレームと呼ばれる制御フレームをＯＬＴとＯＮＵ間で送受信することでＭＰＣＰ制御を実現している。
【０００６】
ＭＰＣＰでは、ＯＬＴとＯＮＵとの間の通信に先立ち、ディスカバリープロセスと呼ばれる手順により、ＯＬＴとＯＮＵとの間の通信路の確立を行う。ディスカバリープロセスでは、ＯＬＴとＯＮＵとの間で、Ｄｉｓｃｏｖｅｒｙ処理用ＭＡＣ  Ｃｏｎｔｒｏｌフレームを送受信することで、ＯＬＴとＯＮＵとの間の通信路の確立を行う。また、ＯＮＵからＯＬＴへのＴＤＭＡ制御のために、ディスカバリープロセスにおいて、ＯＬＴと全ＯＮＵの時刻同期を行っている。
【０００７】
通信路の確立後は、ＯＮＵは送信したいデータ量（送信要求量）をＭＡＣ  Ｃｏｎｔｒｏｌフレームの１つであるＲＥＰＯＲＴフレームを用いてＯＬＴに通知する。
【０００８】
ＯＬＴは、ＲＥＰＯＲＴフレームにより通知された各ＯＮＵの送信要求量から、各ＯＮＵの送信を許可するデータ量（送信許可量）と送信開始時刻をＭＡＣ  Ｃｏｎｔｒｏｌフレームの１つであるＧＡＴＥフレームを用いてＯＮＵへ通知する。
【０００９】
ＯＮＵは、ＧＡＴＥフレームにより通知された送信許可量と送信開始時刻を元に、ＯＬＴへデータフレームを送信する。
【００１０】
また、ＩＥＥＥ  Ｓｔｄ  ８０２．３ａｈでは、ＯＬＴ−ＯＮＵ間の運用・管理・保守に関する機能（ＯＡＭ：Ｏｐｅｒａｔｉｏｎ，Ａｄｍｉｎｉｓｔｒａｔｉｏｎ，ａｎｄ  Ｍａｉｎｔｅｎａｎｃｅ）を規定しており、スロープロトコルフレームと呼ばれる制御フレームを用いて、ＯＬＴ−ＯＮＵ間でＯＡＭ情報の通信を行っている。ＯＬＴ−ＯＮＵ間のＯＡＭ情報の通信に関しては、ＭＰＣＰによる通信路が確立された後、ＯＡＭディスカバリーの仕組みにより、ＯＡＭ情報用通信路が確立される。ＯＡＭ情報用通信路が確立された後は、周期的なＯＡＭ情報のやりとりを監視することでＯＡＭ情報用通信路の正常性の確認を行っている。
【００１１】
以上説明した、ＭＰＣＰのディスカバリープロセス、通信路の確立後のＧＡＴＥフレーム，ＲＥＰＯＲＴフレームによる制御情報のやりとり、および運用・管理・保守機能に関しては、ＰＯＮシステムを構成する伝送装置において、ＣＰＵによるソフトウェア処理で実現されるのが一般的である。
【先行技術文献】
【特許文献】
【００１２】
【特許文献１】特開２００９−６５５７５号公報
【発明の概要】
【発明が解決しようとする課題】
【００１３】
しかしながら、ＯＬＴ装置およびＯＮＵ装置に搭載されるソフトウェアは、機能拡張などの理由によりしばしばソフトウェアの更新が発生することが予想され、その際には、ＣＰＵの再起動が伴うのが一般的である。
【００１４】
そのため、ソフトウェア更新によるＣＰＵ再起動中においては、前記通信路確立後のＧＡＴＥフレーム、ＲＥＰＯＲＴフレームによる制御情報をやりとりする機能が停止してしまい、ＯＬＴとＯＮＵとの間でのＧＡＴＥフレームとＲＥＰＯＲＴフレームの送受信が不可能になり、ひいては主信号フレームの導通が不可能になるという問題があった。
【００１５】
また、ソフトウェア更新によるＣＰＵ再起動中においては、前記運用・管理・保守機能が停止してしまい、ＯＡＭ情報用通信路の維持が不可能になり、伝送装置においては、運用・管理・保守用の通信路が切断されると、主信号の導通も切断するという動作が一般的であるため、主信号フレームの導通が不可能になるという問題があった。
【００１６】
本発明は、上記課題に鑑みたものであり、上記のような伝送装置におけるソフトウェア更新などによるコンピュータの再起動中状況においても、主信号の導通を断ずることなく、通信サービスを継続することが可能な伝送制御システム、加入者側伝送装置および局側伝送装置を提供することを目的とする。
【課題を解決するための手段】
【００１７】
かかる課題を解決するために、第１の本発明の加入者側伝送装置は、局側伝送装置との間で、コンピュータによるソフトウェア処理で通信路を確立し、その通信路確立後、運用・管理・保守用のＯＡＭ情報通信路を確立してＯＡＭ情報の送受信及び通信路を介してデータフレームの送受信を行う加入者側伝送装置において、ソフトウェア処理を行うコンピュータとは別にハードウェア処理を行うものであって、コンピュータ再起動によっても継続して信号処理を行う加入者側処理手段を備え、加入者側処理手段が、（１）ソフトウェア処理による局側伝送装置との間の通信路の確立後、運用・管理・保守用のＯＡＭ情報を周期的に通信するためのＯＡＭ情報通信路を確立し、そのＯＡＭ情報通信路を通じて受信したＯＡＭ情報をソフトウェアに与え又は送信すべきＯＡＭ情報をソフトウェアから取得して送信するＯＡＭ情報処理部と、（２）ソフトウェア処理による局側伝送装置との間の通信路の確立後、局側伝送装置に対して送信要求量を示すレポート情報を送信するレポート処理部と、（３）局側伝送装置から送信開始時刻及び送信許可量を示すゲート情報を取得し、そのゲート情報に基づく送信開始時刻に許可された送信許可量のデータフレームの出力をさせるゲート処理部とを有することを特徴とする。
【００１８】
第２の本発明の局側伝送装置は、接続される１又は複数の加入者側伝送装置との間で、コンピュータによるソフトウェア処理で通信路を確立し、その通信路確立後、運用・管理・保守用のＯＡＭ情報通信路を確立してＯＡＭ情報の送受信及び通信路を介してデータフレームデータの送受信を行う局側伝送装置において、（１）ソフトウェア処理を行うコンピュータとは別にハードウェア処理を行うものであって、コンピュータ再起動によっても継続して信号処理を行う局側処理手段と、（２）ソフトウェア処理により、１又は複数の加入者側伝送装置毎のデータフレーム伝送に関する送信開始時刻及び送信許可量を求める伝送制御情報算出手段と、局側処理手段が、（１−１）伝送制御情報算出手段により求められた各加入者側伝送装置の送信開始時刻及び送信許可量を記憶する伝送制御情報記憶部と、（１−２）通常時は、伝送制御情報算出手段により求められた各加入者側伝送装置の送信開始時刻及び送信許可量を示すゲート情報を各加入者側伝送装置に送信し、又コンピュータ再起動時には、伝送制御情報記憶部に記憶される各加入者側伝送装置の送信開始時刻及び送信許可量を示すゲート情報を各加入者側伝送装置に送信する伝送制御処理部と、（１−３）ソフトウェアから取得した各加入者側伝送装置のＯＡＭ情報を記憶するＯＡＭ情報記憶部と、（１−４）ソフトウェア処理による各加入者側伝送装置との間の通信路の確立後、運用・管理・保守用のＯＡＭ情報を周期的に通信するためのＯＡＭ情報通信路を確立し、通常時は、そのＯＡＭ情報通信路を通じて受信したＯＡＭ情報をソフトウェアに与え又は送信すべきＯＡＭ情報をソフトウェアから取得して送信し、又コンピュータ再起動時は、ＯＡＭ情報記憶部に記憶される各加入者側伝送装置のＯＡＭ情報を各加入者側伝送装置に送信するＯＡＭ情報処理部とを有することを特徴とする。
【００１９】
第３の本発明の伝送制御システムは、局側伝送装置と、局側伝送装置と接続される１又は複数の加入者側伝送装置との間でデータの送受信を行う伝送制御システムにおいて、局側伝送装置が、（１）ソフトウェア処理を行うコンピュータとは別にハードウェア処理を行うものであって、コンピュータ再起動によっても継続して信号処理を行う局側処理手段と、（２）ソフトウェア処理により、１又は複数の加入者側伝送装置毎のデータフレーム伝送に関する送信開始時刻及び送信許可量を求める伝送制御情報算出手段と、局側処理手段が、（１−１）伝送制御情報算出手段により求められた各加入者側伝送装置の送信開始時刻及び送信許可量を記憶する伝送制御情報記憶部と、（１−２）通常時は、伝送制御情報算出手段により求められた各加入者側伝送装置の送信開始時刻及び送信許可量を示すゲート情報を各加入者側伝送装置に送信し、又コンピュータ再起動時には、伝送制御情報記憶部に記憶される各加入者側伝送装置の送信開始時刻及び送信許可量を示すゲート情報を各加入者側伝送装置に送信する伝送制御処理部と、（１−３）ソフトウェアから取得した各加入者側伝送装置のＯＡＭ情報を記憶するＯＡＭ情報記憶部と、（１−４）ソフトウェア処理による各加入者側伝送装置との間の通信路の確立後、運用・管理・保守用のＯＡＭ情報を周期的に通信するためのＯＡＭ情報通信路を確立し、通常時は、そのＯＡＭ情報通信路を通じて受信したＯＡＭ情報をソフトウェアに与え又は送信すべきＯＡＭ情報をソフトウェアから取得して送信し、又コンピュータ再起動時は、ＯＡＭ情報記憶部に記憶される各加入者側伝送装置のＯＡＭ情報を各加入者側伝送装置に送信するＯＡＭ情報処理部とを有することを特徴とする。
【００２０】
第４の本発明の伝送制御システムは、局側伝送装置と、局側伝送装置と接続される１又は複数の加入者側伝送装置との間でデータの送受信を行う伝送制御システムにおいて、各加入者側伝送装置が、ソフトウェア処理を行うコンピュータとは別にハードウェア処理を行うものであって、コンピュータ再起動によっても継続して信号処理を行う加入者側処理手段を備え、加入者側処理手段が、（１）ソフトウェア処理による上記局側伝送装置との間の通信路の確立後、運用・管理・保守用のＯＡＭ情報を周期的に通信するためのＯＡＭ情報通信路を確立し、そのＯＡＭ情報通信路を通じて受信したＯＡＭ情報をソフトウェアに与え又は送信すべきＯＡＭ情報をソフトウェアから取得して送信するＯＡＭ情報処理部と、（２）ソフトウェア処理による局側伝送装置との間の通信路の確立後、局側伝送装置に対して送信要求量を示すレポート情報を送信するレポート処理部と、（３）局側伝送装置から送信開始時刻及び送信許可量を示すゲート情報を取得し、そのゲート情報に基づく送信開始時刻に許可された送信許可量のデータフレームの出力をさせるゲート処理部とを有し、局側伝送装置が、再起動対象の各加入者側伝送装置に対するコンピュータ再起動指示前に、当該再起動対象の各加入者側伝送装置のＯＡＭ情報処理部との間で確立したＯＡＭ情報通信路の監視を停止することを特徴とする。
【発明の効果】
【００２１】
本発明によれば、伝送装置におけるソフトウェア更新などによるコンピュータの再起動中状況においても、主信号の導通を断ずることなく、通信サービスを継続することができる。
【図面の簡単な説明】
【００２２】
【図１】実施形態のＯＮＵ装置の内部構成を示す機能構成図である。
【図２】実施形態のＯＬＴ装置の内部構成を示す機能構成図である。
【図３】ＰＯＮシステムの構成を示す図である。
【図４】実施形態のＯＬＴ装置とＯＮＵ装置との間の情報伝送処理を示すシーケンス図である。
【図５】実施形態のＯＬＴ装置とＯＮＵ装置との間のＯＡＭフレームの送受信処理を示すシーケンス図である。
【図６】ＯＮＵ装置におけるＣＰＵ再起動を行う場合の処理を示すシーケンス図である。
【図７】ＯＬＴ装置におけるＣＰＵ再起動を行う場合の処理を示すフローチャートである。
【発明を実施するための形態】
【００２３】
（Ａ）実施形態
以下では、本発明の伝送制御システム、加入者側伝送装置及び局側伝送装置の実施形態を、図面を参照しながら例示して説明する。
【００２４】
この実施形態では、ＰＯＮシステムのプロトコルにギガビットイーサネットを用いたＧＥ−ＰＯＮシステムに、本発明を適用した場合を例示する。
【００２５】
（Ａ−１）実施形態の構成
図３は、実施形態のＰＯＮシステムの全体構成を例示するシステム構成図である。図３において、実施形態に示すＰＯＮシステム５は、１台の局側光回線終端装置（ＯＬＴ装置）２は複数の加入者宅側光回線終端装置（ＯＮＵ装置）１−１〜１−ｎ（ｎは正の整数）と、光スプリッタ（例えば光カプラ）３と呼ばれる光受動素子を用いて、１本の光ケーブル４を分岐させて１対多に接続する構成である。
【００２６】
図１は、ＧＥ−ＰＯＮシステムを構成する加入者宅側光回線終端装置（ＯＮＵ装置）の内部構成を示す機能構成図である。
【００２７】
図１において、ＯＮＵ装置１は、Ｅ／Ｏ変換部１１、ＭＡＣ部（メディアアクセス制御部）１２、ＭＡＣ  Ｃｏｎｔｒｏｌフレーム処理部１３、ＭＡＣ  Ｃｏｎｔｒｏｌクライアント部１４、ＯＡＭフレーム処理部１５、ＯＡＭクライアント部１６、ＭＡＣクライアント部１７を少なくとも有して構成される。
【００２８】
図１において、例えば、ＭＡＣ  Ｃｏｎｔｒｏｌクライアント部１４およびＯＡＭクライアント部１６は、ＣＰＵによるソフトウェア処理で実行される機能部であり、それ以外の構成要素はハードウェア処理で実行される機能部である。
【００２９】
Ｅ／Ｏ変換部１１は、入力された光信号を電気信号に変換してＭＡＣ部１２に与えたり、またＭＡＣ部１２から受け取った電気信号を光信号に変換して送信したりするものである。
【００３０】
ＭＡＣ部１２は、ＯＳＩ参照モデルのデータリンク層(第２層)の下位副層に当たり、フレームの送受信や、誤り検出などの機能を有するものである。
【００３１】
ＭＡＣ  Ｃｏｎｔｒｏｌフレーム処理部１３は、ＭＡＣ部１２から受け取ったフレームのうち、ＭＡＣ  Ｃｏｎｔｒｏｌフレームのみを抽出して、このＭＡＣ  Ｃｏｎｔｒｏｌフレームの内容の解析処理及び内容の応じた応答処理を行う回路部である。
【００３２】
図１に示すように、ＭＡＣ  Ｃｏｎｔｒｏｌフレーム処理部１３は、ＭＡＣ  Ｃｏｎｔｒｏｌフレーム識別部１３１、ＭＡＣ  Ｃｏｎｔｒｏｌフレーム多重部１３２、Ｄｉｓｃｏｖｅｒｙ処理部１３３、ＧＡＴＥ処理部１３４、ＲＥＰＯＲＴ処理部１３５、ＧＡＴＥ情報解析処理部１３６を少なくとも有して構成される。
【００３３】
ＭＡＣ  Ｃｏｎｔｒｏｌフレーム識別部１３１は、ＭＡＣ  Ｃｏｎｔｒｏｌフレーム処理部１３で受信されたフレームのうち、ＭＡＣ  Ｃｏｎｔｒｏｌフレームと呼ばれるフレームを識別してＤｉｓｃｏｖｅｒｙ処理部１３３又はＧＡＴＥ処理部１３４に与え、ＭＡＣ  Ｃｏｎｔｒｏｌ以外のフレームをＯＡＭフレーム処理部１５に与えるものである。
【００３４】
ＭＡＣ  Ｃｏｎｔｒｏｌフレーム多重部１３２は、ＯＡＭフレーム処理部１５からのフレームと、Ｄｉｓｃｏｖｅｒｙ処理部１３３およびＲＥＰＯＲＴ処理部１３５からのＭＡＣ  Ｃｏｎｔｒｏｌフレームとを多重してＭＡＣ部１２に与えるものである。ＭＡＣ  Ｃｏｎｔｒｏｌフレーム多重部１３２は、ＧＡＴＥ情報解析処理部１３６と接続しており、フレームの出力タイミング（送信開始時刻）および送信データ量は、ＧＡＴＥ情報解析処理部１３６から指示される。
【００３５】
Ｄｉｓｃｏｖｅｒｙ処理部１３３は、ＯＬＴ装置２との間で通信路を確立するＤｉｓｃｏｖｅｒｙ処理を行うものである。Ｄｉｓｃｏｖｅｒｙ処理部１３３は、ＭＡＣ  Ｃｏｎｔｒｏｌフレーム識別部１３１から抽出されたＤｉｓｃｏｖｅｒｙ処理用ＭＡＣ  Ｃｏｎｔｒｏｌフレームを受信し、このＤｉｓｃｏｖｅｒｙ処理用ＭＡＣ  Ｃｏｎｔｒｏｌフレームの内容を、ＭＡＣ  Ｃｏｎｔｒｏｌクライアント部１４へ通知するものである。また、Ｄｉｓｃｏｖｅｒｙ処理部１３３は、ＭＡＣ  Ｃｏｎｔｒｏｌクライアント部１４から通知されるＤｉｓｃｏｖｅｒｙ処理情報に基づいてＤｉｓｃｏｖｅｒｙ処理用ＭＡＣ  Ｃｏｎｔｒｏｌフレームを生成し、生成したＤｉｓｃｏｖｅｒｙ処理用ＭＡＣ  ＣｏｎｔｒｏｌフレームをＭＡＣ  Ｃｏｎｔｒｏｌフレーム多重部１３２に与えるものである。
【００３６】
ＲＥＰＯＲＴ処理部１３５は、ＧＡＴＥ情報解析処理部１３６から通知されるＲＥＰＯＲＴ情報をもとに、ＲＥＰＯＲＴ処理用のＭＡＣ  Ｃｏｎｔｒｏｌフレーム（ＲＥＰＯＲＴフレーム）を生成してＭＡＣ  Ｃｏｎｔｒｏｌフレーム多重部１３２に与えるものである。
【００３７】
ＧＡＴＥ処理部１３４は、ＭＡＣ  Ｃｏｎｔｒｏｌフレーム識別部１３１から抽出されたＧＡＴＥ処理用のＭＡＣ  Ｃｏｎｔｒｏｌフレーム（ＧＡＴＥフレーム）を受信し、このＧＡＴＥ処理用のＭＡＣ  Ｃｏｎｔｒｏｌフレームの内容（ＧＡＴＥ情報）を、ＧＡＴＥ情報解析処理部１３６へ通知するものである。
【００３８】
ＧＡＴＥ情報解析処理部１３６は、ＧＡＴＥ処理部１３４から通知されたＧＡＴＥ情報を元に、当該ＯＮＵ装置１が送信するフレームの送信開始時刻と送信許可量を算出し、その結果をＭＡＣ  Ｃｏｎｔｒｏｌフレーム多重部１３２へ通知するものである。さらに、ＧＡＴＥ情報解析処理部１３６は、ＭＡＣ  Ｃｏｎｔｒｏｌフレーム多重部１３２に蓄積されたデータ量を監視し、ＭＡＣ  Ｃｏｎｔｒｏｌフレーム多重部１３２に蓄積される蓄積データ量とＧＡＴＥ情報の送信許可量とに基づいてＲＥＰＯＲＴ情報とを求め、そのＲＥＰＯＲＴ情報を、ＲＥＰＯＲＴ処理部１３５へ通知するものである。
【００３９】
ＭＡＣ  Ｃｏｎｔｒｏｌクライアント部１４は、ディスカバリープロトコル処理部１４１を有するものである。
【００４０】
ディスカバリープロトコル処理部１４１は、Ｄｉｓｃｏｖｅｒｙ処理部１３３から通知されたＭＡＣ  Ｃｏｎｔｒｏｌフレーム情報に基づいて、ディスカバリープロセス処理を行い、応答するべきＭＡＣ  Ｃｏｎｔｒｏｌフレーム情報をＤｉｓｃｏｖｅｒｙ処理部１３３に通知するものである。
【００４１】
ＯＡＭフレーム処理部１５は、ＯＡＭフレーム識別部１５１、ＯＡＭフレーム多重部１５２、ＯＡＭ処理部１５３を少なくとも有して構成される。
【００４２】
ＯＡＭフレーム識別部１５１は、ＭＡＣ  Ｃｏｎｔｒｏｌフレーム処理部１３から出力されたフレームのうち、スロープロトコルフレームを識別してＯＡＭ処理部１５３に与えるものである。また、ＯＡＭ処理フレーム識別部１５１は、それ以外のフレームをＭＡＣクライアント部１６に与える。
【００４３】
ＯＡＭフレーム多重部１５２は、ＭＡＣクライアント部１７から受信したフレームと、ＯＡＭ処理部１５３からのスロープロトコルフレームとを多重して、ＭＡＣ  Ｃｏｎｔｒｏｌフレーム処理部１３に与えるものである。
【００４４】
ＯＡＭ処理部１５３は、ＯＡＭフレーム識別部１５１から抽出されたスロープロトコルフレームを受信し、スロープロトコルフレームの内容を、ＯＡＭクライアント部１６へ通知するものである。また、ＯＡＭ処理部１５３は、ＯＡＭクライアント部１６から通知されるＯＡＭ情報に基づいてスロープロトコルフレームを生成し、その生成したスロープロトコルをＯＡＭフレーム多重部１５２に与えるものである。
【００４５】
ＯＡＭクライアント部１６は、ＯＡＭプロトコル処理部１６１を有するものである。
【００４６】
ＯＡＭプロトコル処理部１６１は、ＯＡＭ処理部１５３から受信したスロープロトコルフレームの内容を受け取り、このスロープロトコルフレームの内容に応じたＯＡＭ情報を、ＯＡＭ処理部１５３に与えるものである。
【００４７】
ＭＡＣクライアント部１７は、ブリッジ機能などを実現するものである。
【００４８】
図２は、ＧＥ−ＰＯＮシステムを構成する局側光回線終端装置（ＯＬＴ装置）の内部構成を示す機能構成図である。
【００４９】
図２において、ＯＬＴ装置２は、Ｅ／Ｏ変換部２１、ＭＡＣ部２２、マルチポイントＭＡＣ  Ｃｏｎｔｒｏｌフレーム処理部２３−１〜２３−ｎ（ｎは正の整数）、ＭＡＣ  Ｃｏｎｔｒｏｌクライアント部２４、マルチポイント送信制御部２５、ＯＡＭフレーム処理部２６、ＯＡＭクライアント部２７、ＭＡＣクライアント部２８を少なくとも有して構成される。
【００５０】
図２において、例えば、ＭＡＣ  Ｃｏｎｔｒｏｌクライアント部２４およびＯＡＭクライアント部２７は、ＣＰＵによるソフトウェア処理で実行される機能部であり、それ以外の構成要素はハードウェア処理で実行される機能部である。
【００５１】
Ｅ／Ｏ変換部２１は、入力された光信号を電気信号に変換してＭＡＣ部２２に与えたり、またＭＡＣ部２２から受け取った電気信号を光信号に変換して送信したりするものである。
【００５２】
ＭＡＣ部２２は、ＯＳＩ参照モデルのデータリンク層(第２層)の下位副層に当たり、フレームの送受信や、誤り検出などの機能を有する。
【００５３】
マルチポイントＭＡＣ  Ｃｏｎｔｒｏｌフレーム処理部２３−１〜２３−ｎは、各ＯＮＵ装置１との間で授受するＭＡＣ  Ｃｏｎｔｒｏｌフレームの解析処理や生成処理を行う回路部である。また、マルチポイントＭＡＣ  Ｃｏｎｔｒｏｌフレーム処理部２３−１〜２３−ｎは、ＯＬＴ装置２に接続されるＯＮＵ装置１毎に個別に存在する。
【００５４】
マルチポイントＭＡＣ  Ｃｏｎｔｒｏｌフレーム処理部２３−１〜２３−ｎは、ＭＡＣ  Ｃｏｎｔｒｏｌフレーム識別部２３１、ＭＡＣ  Ｃｏｎｔｒｏｌフレーム多重部２３２、Ｄｉｓｃｏｖｅｒｙ処理部２３３、ＧＡＴＥ処理部２３４、ＲＥＰＯＲＴ処理部２３５、送信許可帯域設定メモリ部２３６を少なくとも有して構成される。
【００５５】
ＭＡＣ  Ｃｏｎｔｒｏｌフレーム識別部２３１は、ＭＡＣ部２２で受信されたフレームのうち、ＭＡＣ  Ｃｏｎｔｒｏｌフレームと呼ばれるフレームを識別してＤｉｓｃｏｖｅｒｙ処理部２３３又はＲＥＰＯＲＴ処理部２３５に与え、ＭＡＣ  Ｃｏｎｔｒｏｌ以外のフレームをＯＡＭフレーム処理部２６に与えるものである。
【００５６】
ＭＡＣ  Ｃｏｎｔｒｏｌフレーム多重部２３２は、ＯＡＭフレーム処理部２６からのフレームと、Ｄｉｓｃｏｖｅｒｙ処理部２３３およびＧＡＴＥ処理部２３４からのＭＡＣ  Ｃｏｎｔｒｏｌフレームとを多重してＭＡＣ部２２へ出力するものである。
【００５７】
Ｄｉｓｃｏｖｅｒｙ処理部２３３は、ＭＡＣ  Ｃｏｎｔｒｏｌフレーム識別部２３１から抽出されたＤｉｓｃｏｖｅｒｙ処理用ＭＡＣ  Ｃｏｎｔｒｏｌフレームを受信し、このＤｉｓｃｏｖｅｒｙ処理用ＭＡＣ  Ｃｏｎｔｒｏｌフレームの内容を、ＭＡＣ  Ｃｏｎｔｒｏｌクライアント部２４へ通知するものである。
【００５８】
また、Ｄｉｓｃｏｖｅｒｙ処理部２３３は、ＭＡＣ  Ｃｏｎｔｒｏｌクライアント部２４から通知されるＤｉｓｃｏｖｅｒｙ処理情報に基づいてＤｉｓｃｏｖｅｒｙ処理用ＭＡＣ  Ｃｏｎｔｒｏｌフレームを生成して、この生成したＤｉｓｃｏｖｅｒｙ処理用ＭＡＣ  ＣｏｎｔｒｏｌフレームをＭＡＣ  Ｃｏｎｔｒｏｌフレーム多重部２３２に与えるものである。
【００５９】
ＲＥＰＯＲＴ処理部２３５は、ＭＡＣ  Ｃｏｎｔｒｏｌフレーム識別部２３１から抽出されたＲＥＰＯＲＴフレームを受信し、ＲＥＰＯＲＴフレームの内容を、ＭＡＣ  Ｃｏｎｔｒｏｌクライアント部２４へ通知するものである。
【００６０】
ＧＡＴＥ処理部２３４は、ＭＡＣ  Ｃｏｎｔｒｏｌクライアント部２４から通知されるＧＡＴＥ情報に基づいてＧＡＴＥフレームを生成し、生成したＧＡＴＥフレームをＭＡＣ  Ｃｏｎｔｒｏｌフレーム多重部２３２へ出力するものである。又は、ＧＡＴＥ処理部２３４は、送信許可帯域設定メモリ部２３６に設定されたＧＡＴＥ情報に基づいてＧＡＴＥフレームを生成し、生成したＧＡＴＥフレームをＭＡＣ  Ｃｏｎｔｒｏｌフレーム多重部２３２へ出力するものである。
【００６１】
ここで、ＧＡＴＥ処理部２３４の動作について説明する。ＧＡＴＥ処理部２３４は、上記のいずれかの動作を設定により選択することができる。例えば、ＣＰＵ再起動を行う際には、ＧＡＴＥ処理部２３４は、ＭＡＣ  Ｃｏｎｔｒｏｌクライアント部２４が送信許可帯域設定メモリ部２３６に設定したＧＡＴＥ情報を用いてＧＡＴＥフレームを作成するようにする。またそれ以外のときには、ＭＡＣ  Ｃｏｎｔｒｏｌクライアント部２４から通知されたＧＡＴＥ情報を用いてＧＡＴＥフレームを作成するようにする。
【００６２】
このようなＧＡＴＥ処理部２３４の動作の切り替えは、例えば、ＯＬＴ装置２の再起動開始指示が入力されたことをトリガとすることができる。また、再起動完了後、ＧＡＴＥ処理部２３４は、送信許可帯域設定メモリ部２３６のＧＡＴＥ情報を用いた処理から、ＭＡＣ  Ｃｏｎｔｒｏｌクライアント部２４から通知されたＧＡＴＥ情報を用いた処理に切り戻しを行うようにすることができる。
【００６３】
ＭＡＣ  Ｃｏｎｔｒｏｌクライアント部２４は、ディスカバリープロトコル処理部２４１および送信許可帯域計算処理部２４２を有する。
【００６４】
ディスカバリープロトコル処理部２４１は、各マルチポイントＭＡＣ  Ｃｏｎｔｒｏｌフレーム処理部２３−１〜２３−ｎのＤｉｓｃｏｖｅｒｙ処理部２３３から通知されたＭＡＣ  Ｃｏｎｔｒｏｌフレーム情報をもとにディスカバリープロセス処理を行い、応答するべきＭＡＣ  Ｃｏｎｔｒｏｌフレーム情報を該当するマルチポイントＭＡＣ  Ｃｏｎｔｒｏｌフレーム処理部２３−１〜２３−ｎのＤｉｓｃｏｖｅｒｙ処理部２３３に通知するものである。
【００６５】
送信許可帯域計算処理部２４２は、各マルチポイントＭＡＣ  Ｃｏｎｔｒｏｌフレーム処理部２３−１〜２３−ｎのＲＥＰＯＲＴ処理部２３５から通知されたＲＥＰＯＲＴ情報に基づいて、各ＯＮＵ装置１のフレーム送信開始時刻と送信許可量を計算するものである。
【００６６】
さらに、送信許可帯域計算処理部２４２は、計算した各ＯＮＵ装置１のフレーム送信開始時刻と送信許可量とをＧＡＴＥ情報として、該当するマルチポイントＭＡＣ  Ｃｏｎｔｒｏｌフレーム処理部２３−１〜２３−ｎのＧＡＴＥ処理部２３４へ通知する。又は、送信許可帯域計算処理部２４２は、計算した各ＯＮＵ装置１のフレーム送信開始時刻と送信許可量をＧＡＴＥ情報として、送信許可帯域設定メモリ部２３６に通知する。
【００６７】
ここで、送信許可帯域処理部２４２は、上述したように、各ＯＮＵ装置１−１〜１−ｎのフレーム送信開始時刻と送信許可量とを計算するものである。送信許可帯域処理部２４２による各ＯＮＵ装置１−１〜１−ｎのフレーム送信開始時刻と送信許可量の計算処理は、既存技術と同様の方法を適用できる。しかし、送信許可帯域処理部２４２の計算結果を通知する処理については以下のようにする。例えば、当該ＯＬＴ装置２が再起動する場合、送信許可帯域計算処理部２４２は、各ＯＮＵ装置１−１〜１−ｎの送信開始時刻および送信許可量を、それぞれ対応する各マルチポイントＭＡＣ  Ｃｏｎｔｒｏｌフレーム処理部２３−１〜２３−ｎの送信許可帯域設定メモリ部２３６に設定するようにする。
【００６８】
送信許可帯域設定メモリ部２３６は、ＭＡＣ  Ｃｏｎｔｒｏｌクライアント部２４の送信許可帯域計算処理部２４２から通知されたＧＡＴＥ情報を記憶するものである。また、送信許可帯域設定メモリ部２３６は、記憶したＧＡＴＥ情報を周期的にＧＡＴＥ処理部２３４へ通知する。
【００６９】
マルチポイント送信制御部２５は、各マルチポイントＭＡＣ  Ｃｏｎｔｒｏｌフレーム処理部２３−１〜２３−ｎからの送信要求を調停して、各マルチポイントＭＡＣ  Ｃｏｎｔｒｏｌフレーム処理部２３−１〜２３−ｎのＭＡＣ  Ｃｏｎｔｒｏｌフレーム多重部２３２へ送信許可を与える。
【００７０】
ＯＡＭフレーム処理部２６は、ＯＡＭフレーム識別部２６１、ＯＡＭフレーム多重部２６２、ＯＡＭ処理部２６３、ＯＡＭ送信設定メモリ部２６４を少なくとも有して構成される。
【００７１】
ＯＡＭフレーム識別部２６１は、各マルチポイントＭＡＣ  Ｃｏｎｔｒｏｌフレーム処理部２３−１〜２３−ｎから出力されたフレームのうち、スロープロトコルフレームを識別し、識別したスロープロトコルフレームをＯＡＭ処理部２６３に与え、それ以外のフレームをＭＡＣクライアント部２８に与えるものである。
【００７２】
ＯＡＭフレーム多重部２６２は、ＭＡＣクライアント部２８からのフレームとＯＡＭ処理部２６３からのスロープロトコルフレームとを多重して、各マルチポイントＭＡＣ  Ｃｏｎｔｒｏｌフレーム処理部２３−１〜２３−ｎに与えるものである。
【００７３】
ＯＡＭ処理部２６３は、ＯＡＭフレーム識別部２６１から抽出されたスロープロトコルフレームを受信し、このスロープロトコルフレームの内容をＯＡＭクライアント部２７に与えるものである。
【００７４】
また、ＯＡＭ処理部２６３は、ＯＡＭクライアント部２７から通知されるＯＡＭ情報に基づいてスロープロトコルフレームを生成し、その生成したスロープロトコルフレームをＯＡＭフレーム多重部２６２に与えるものである。又は、ＯＡＭ処理部２６３は、ＯＡＭ送信設定メモリ部２６４に設定されたＯＡＭ情報に基づいてスロープロトコルフレームを生成し、その生成したスロープロトコルフレームをＯＡＭフレーム多重部２６２に与えるものである。
【００７５】
ここで、ＯＡＭ処理部２６３の動作について説明する。ＯＡＭ処理部２６３は、上記いずれかの動作を設定により選択することができる。例えば、当該ＯＬＴ装置２が再起動する際、ＯＡＭ処理部２６３は、ＯＡＭクライアント部２７がＯＡＭ送信設定メモリ部２６４に設定したＯＡＭ情報を用いてスロープロトコルフレームを作成する。またそれ以外のときには、ＯＡＭ処理部２６３は、ＯＡＭクライアント部２７から通知されたＯＡＭ情報を用いてスロープロトコルフレームを作成するものとすることができる。
【００７６】
ＯＡＭ送信設定メモリ部２６４は、ＯＡＭクライアント部２７から通知されたＯＡＭ情報を記憶する。また、ＯＡＭ送信設定メモリ部２６４は、記憶したＯＡＭ情報を周期的にＯＡＭ処理部２６３へ通知する。
【００７７】
ＯＡＭクライアント部２７は、ＯＡＭプロトコル処理部２７１を有する。
【００７８】
ＯＡＭプロトコル処理部２７１は、ＯＡＭ処理部２６３からスロープロトコルフレームの内容を受け取り、このスロープロトコルフレームの内容に応じた応答情報をＯＡＭ情報としてＯＡＭ処理部２６３に与えるものである。又は、ＯＡＭプロトコル処理部２７１は、ＯＡＭ処理部２６３から受け取ったスロープロトコルフレームの内容に応じたＯＡＭ情報を、ＯＡＭ送信設定メモリ部２６４に設定するものである。
【００７９】
ＭＡＣクライアント部２８は、ブリッジ機能などを実現するものである。
【００８０】
（Ａ−２）実施形態の動作
次に、この実施形態のＧＥ−ＰＯＮシステムにおける伝送制御処理の動作を説明する。
【００８１】
図３に示すように、光スプリッタ３（例えば、光カプラなど）を介して、図２に示すＯＬＴ装置に、図１に示す１又は複数のＯＮＵ装置が接続されることによりＰＯＮシステムを構成する。
【００８２】
（Ａ−２−１）情報伝送処理
以下では、ＯＬＴ装置２とＯＮＵ装置１との間で授受される情報伝送処理を説明する。
【００８３】
図４は、ＯＬＴ装置２とＯＮＵ装置１との間で授受される情報伝送処理を示すシーケンス図である。
【００８４】
まず、ＯＬＴ装置２のＭＡＣ  Ｃｏｎｔｒｏｌクライアント部２４のディスカバリープロトコル処理部２４１と、ＯＮＵ装置１のＭＡＣ  Ｃｏｎｔｒｏｌクライアント部１４のディスカバリープロトコル処理部１４１との間で、Ｄｉｓｃｏｖｅｒｙ用ＭＡＣ  Ｃｏｎｔｒｏｌフレームを用いてＤｉｓｃｏｖｅｒｙ情報をやりとりすることによりディスカバリープロセスを完了し（ステップＳ１０１）、ＯＬＴ装置２とＯＮＵ装置１と間の通信路の確立を行う（ステップＳ１０２）。
【００８５】
ＯＬＴ装置２とＯＮＵ装置１との間の通信路の確立後、ＯＮＵ装置１からＯＬＴ装置２への通信は以下の手順による。
【００８６】
（１）ＯＬＴ装置２は、ＯＮＵ装置１から通知されるＲＥＰＯＲＴ情報を元に、そのＯＮＵ装置１が送信開始してもよい送信開始時刻と、送信してもよいデータ量（送信許可量）とをＧＡＴＥフレームによりＯＮＵ装置１に通知する（ステップＳ１０３）。
【００８７】
なお、最初は、ＯＮＵ装置１からのＲＥＰＯＲＴ情報を受けていないため、ＲＥＰＯＲＴフレームを送信出来る分の送信許可量をＯＮＵ装置１に与える。
【００８８】
（２）ＯＮＵ装置１は、ＭＡＣ  Ｃｏｎｔｒｏｌフレーム多重部１３２に蓄積されたデータ量をもとにＧＡＴＥ情報解析処理部１３６が計算したＲＥＰＯＲＴ情報を、ＲＥＰＯＲＴフレームにより、ＲＥＰＯＲＴ処理部１３５からＭＡＣ  Ｃｏｎｔｒｏｌフレーム多重部１３２、ＭＡＣ部１２を経由してＯＬＴ装置２へ送信する（ステップＳ１０４）。
【００８９】
（３）ＯＬＴ装置２で受信されたＲＥＰＯＲＴフレームのＲＥＰＯＲＴ情報は、ＭＡＣ部２２、ＭＡＣ  Ｃｏｎｔｒｏｌフレーム識別部２３１、ＲＥＰＯＲＴ処理部２３５を経由して、ＭＡＣ  Ｃｏｎｔｒｏｌクライアント部２４の送信許可帯域計算処理部２４２へ通知される。
【００９０】
（４）送信許可帯域計算処理部２４２は、通知された各ＯＮＵ装置１−１〜１−ｎからのＲＥＰＯＲＴ情報を元に、各ＯＮＵ装置１−１〜１−ｎのフレーム送信開始時刻と送信許可量を計算する（ステップＳ１０５）。
【００９１】
そして、ＯＬＴ装置２は、計算した各ＯＮＵ装置１−１〜１−ｎのフレーム送信開始時刻と送信許可量をＧＡＴＥ情報として、ＧＡＴＥフレームにより、ＧＡＴＥ処理部２３４からＭＡＣ  Ｃｏｎｔｒｏｌフレーム多重部２３２、ＭＡＣ部２２を経由して各ＯＮＵ装置１−１〜１−ｎへ送信する（ステップＳ１０６）。
【００９２】
（５）ＯＮＵ装置１で受信されたＧＡＴＥフレームのＧＡＴＥ情報は、ＭＡＣ部１２、ＭＡＣ  Ｃｏｎｔｒｏｌフレーム識別部１３１、ＧＡＴＥ処理部１３４を経由して、ＧＡＴＥ情報解析処理部１３６へ通知される。
【００９３】
（６）ＧＡＴＥ情報解析処理部１３６は、通知されたＧＡＴＥ情報を元に、フレームの送信開始時刻と送信許可量を抽出し、ＭＡＣ  Ｃｏｎｔｒｏｌフレーム多重部１３２は送信開始時刻になったら送信許可量分のフレームをＭＡＣ部１２へ出力する（ステップＳ１０７、Ｓ１０８）。
【００９４】
以後、ステップＳ１０４〜Ｓ１０８を繰り返すことにより、ＯＮＵ装置１からＯＬＴ装置２への通信を実現する。
【００９５】
ＯＬＴ装置２からＯＮＵ装置１への通信は、ＯＬＴ装置２の各マルチポイントＭＡＣ  Ｃｏｎｔｒｏｌフレーム処理部２３−１〜２３−ｎからの送信要求を、マルチポイント送信制御部２５が調停して、マルチポイントＭＡＣ  Ｃｏｎｔｒｏｌフレーム処理部２３−１〜２３−ｎからのフレーム出力をコントロールすることにより実現される。
【００９６】
図５は、ＯＬＴ装置２とＯＮＵ装置１との間のＯＡＭフレームの送受信処理を示すシーケンス図である。
【００９７】
図５に示すように、ＯＬＴ装置２とＯＮＵ装置１との間の通信路確立後、ＯＬＴ装置２のＯＡＭクライアント部２７のＯＡＭプロトコル処理部２７１とＯＮＵ装置１のＯＡＭクライアント部１６のＯＡＭプロトコル処理部１６１との間で、スロープロトコルフレームを用いてＯＡＭ情報をやりとりすることにより、ＯＡＭディスカバリープロセスを完了し（ステップＳ２０１）、ＯＬＴ装置２とＯＮＵ装置１との間の運用・管理・保守用通信路（ＯＡＭ情報用通信路）の確立を行う（ステップＳ２０２）。
【００９８】
ＯＡＭ情報用通信路が確立された後は、ＯＬＴ装置２は、各ＯＮＵ装置１−１〜１−ｎとの間で周期的なＯＡＭ情報のやりとりを行い、その監視をすることでＯＡＭ情報用通信路の正常性の確認を行う（ステップＳ２０３、Ｓ２０４）。
【００９９】
（Ａ−２−２）ＯＮＵ装置１のソフトウェア更新処理を行う場合の処理
次に、上記（Ａ−２−１）の状態にあるＯＮＵ装置１がソフトウェア更新のために再起動を行う場合の手順を説明する。
【０１００】
図６は、ＯＮＵ装置１においてＣＰＵ再起動を行う場合の処理を示すシーケンス図である。
【０１０１】
（１）ＯＬＴ装置２は、更新用ソフトウェアデータをＯＮＵ装置１へ転送する（ステップＳ３０１）。
【０１０２】
（２）ＯＬＴ装置２は、ソフトウェア更新対象のＯＮＵ装置１のＯＡＭ情報用通信路の監視を停止する（ステップＳ３０２）。ＯＬＴ装置２において、当該対象のＯＮＵ装置１のＯＡＭ情報用通信路の監視が停止している間、ＯＬＴ装置２は、当該対象のＯＮＵ装置１からの周期的なＯＡＭ情報がなくても、通信断にはしない。
【０１０３】
例えば、ＯＡＭクライアント部２７が、ソフトウェア更新対象のＯＮＵ装置１のＯＡＭ情報用通信路の監視を停止する旨を示すＯＡＭ情報を、ＯＡＭ処理部２６３に通知したり、又はＯＡＭ送信設定メモリ部２６４に設定したりする。
【０１０４】
（３）ＯＬＴ装置２は、ソフトウェア更新対象のＯＮＵ装置１のＣＰＵ再起動を指示する（ステップＳ３０３）。例えば、ＯＬＴ装置２は、ＯＡＭクライアント部２７が、ソフトウェア更新対象のＯＮＵ装置１に対して、ＣＰＵ再起動コマンドを送信する。
【０１０５】
（４）ＯＮＵ装置１の再起動完了後（ステップＳ３０４）、ＯＬＴ装置２は、ソフトウェア更新対象のＯＮＵ装置１のＯＡＭ情報用通信路の監視を再開する（ステップＳ３０５〜Ｓ３０７）。
【０１０６】
例えば、ＯＮＵ装置１がＣＰＵ再起動した後、ＯＬＴ装置２のＯＡＭクライアント部２７のＯＡＭプロトコル処理部２７１とＯＮＵ装置１のＯＡＭクライアント部１６のＯＡＭプロトコル処理部１６１との間で、スロープロトコルフレームを用いてＯＡＭ情報の授受をして、ＯＡＭディスカバリープロセスを完了し（ステップＳ３０５）、ＯＬＴ装置２とＯＮＵ装置１との間でＯＡＭ情報用通信路の確立を行う（ステップＳ３０６）。これにより、ＯＬＴ装置２は、ソフトウェア更新対象のＯＮＵ装置１とのＯＡＭ情報用通信路を監視することができる。
【０１０７】
以上の手順に従えば、ＯＮＵ装置１のＣＰＵ再起動中はＯＡＭ情報用通信路の監視を停止しているので、その間にＯＬＴ装置２がそのＯＮＵ装置１との通信を断ずることはなく、ＯＬＴ装置２とＯＮＵ装置１との間の通信に影響を及ぼすことはない。
【０１０８】
また、ＯＮＵ装置１でのＧＡＴＥ情報処理、およびＲＥＰＯＲＴ情報処理はハードウェア処理としているため、ＣＰＵの再起動により通信に影響を及ぼすことはない。
【０１０９】
（Ａ−２−３）ＯＬＴ装置２のソフトウェアの更新処理を行う場合の処理
次に、上記（Ａ−２−１）の状態にあるＯＬＴ装置２のソフトウェアの更新処理を行う場合の手順を説明する。
【０１１０】
図７は、ＯＬＴ装置２においてＣＰＵ再起動を行う場合の処理を示すフローチャートである。
【０１１１】
（１）ＯＬＴ装置２におけるソフトウェアを更新する際、ＭＡＣ  Ｃｏｎｔｒｏｌクライアント部２４の送信許可帯域計算処理部２４２は、各ＯＮＵ装置１宛の送信開始時刻及び送信許可量を、送信許可帯域設定メモリ部２３６に設定する（ステップＳ４０１）。
【０１１２】
（２）ＯＬＴ装置２において、ＧＡＴＥ処理部２３４の動作を、「ＭＡＣ  Ｃｏｎｔｒｏｌクライアント部２４の送信許可帯域計算処理部２４２から通知されるＧＡＴＥ情報をもとにＧＡＴＥフレームを生成して出力する」動作から、「送信許可帯域設定メモリ部２３６に設定されたＧＡＴＥ情報をもとに、ＧＡＴＥフレームを生成して出力する」動作に設定を切り替える（ステップＳ４０２）。
【０１１３】
（３）また、ＯＡＭクライアント部２７は、各ＯＮＵ装置１宛のＯＡＭ情報を、ＯＡＭ送信設定メモリ２６４に設定する（ステップＳ４０３）。
【０１１４】
（４）ＯＬＴ装置２において、ＯＡＭ処理部２６３の動作を、「ＯＡＭクライアント部２７から通知されるＯＡＭ情報をもとに、スロープロトコルフレームを生成して出力する」動作から、「ＯＡＭ送信設定メモリ部２６４に設定されたＯＡＭ情報をもとに，スロープロトコルフレームを生成して出力する」動作に設定を切り替える（ステップＳ４０４）。
【０１１５】
なお、この図７では、説明便宜上、ＧＡＴＥ処理部２３４の動作の切り替え後に、ＯＡＭ処理部２６３の動作の切り替える場合を例示したが、この順序に限定されるものではない。例えば、両者の切り替え処理を並列に行っても良いし、ＯＡＭ処理部２６３の動作を切り替えてから、ＧＡＴＥ処理部２３４の動作を切り替えるようにしても良い。
【０１１６】
（５）ＯＬＴ装置２のソフトウェアを更新してＣＰＵを再起動する（ステップＳ４０５）。
【０１１７】
（６）ＯＬＴ装置２において、ＣＰＵ再起動完了後、ＧＡＴＥ処理部２３４の動作を、「ＭＡＣ  Ｃｏｎｔｒｏｌクライアント部２４の送信許可帯域計算処理部２４２から通知されるＧＡＴＥ情報をもとにＧＡＴＥフレームを生成して出力する」動作に切り戻し（ステップＳ４０６）、また、ＯＡＭ処理部２６３の動作を、「ＯＡＭクライアント部２７から通知されるＯＡＭ情報をもとに、スロープロトコルフレームを生成して出力する」動作に切り戻す（ステップＳ４０７）。
【０１１８】
以上の手順に従えば、ＯＬＴ装置２のＣＰＵ再起動中はＯＡＭ送信設定メモリ部２６４に設定されたＯＡＭ情報が周期的に各ＯＮＵ装置１へ通知されるので、各ＯＮＵ装置１でのＯＡＭ情報用通信路の正常性が保たれ、その間にＯＮＵ装置１がＯＬＴ装置２との通信を断ずることはない。従って、その間にＯＬＴ装置２とＯＮＵ装置１との間の通信に影響を及ぼすことはない。
【０１１９】
また、ＣＰＵ再起動中は、送信許可帯域設定メモリ部２３６に設定されたＧＡＴＥ情報が周期的に各ＯＮＵ装置１へ通知されるので、その間、各ＯＮＵ装置１からのＲＥＰＯＲＴ情報を反映した動的なＧＡＴＥ情報の通知機能は働かなくなるが、ＯＬＴ装置２とＯＮＵ装置１との間の通信に影響を及ぼすことはない。
【０１２０】
ＯＬＴ装置２又はＯＮＵ装置１のＣＰＵ再起動中に、なんらかの要因で通信断になった場合は、ＣＰＵ再起動後に、ＭＰＣＰのディスカバリープロセスから開始することで、通信を復旧することができる。
【０１２１】
（Ａ−３）実施形態の効果
以上のように、上述した実施形態によれば、ＯＮＵ装置１に、ハードウェアによるＧＡＴＥ情報解析処理部１３６、ＯＬＴ装置２に、予め設定されたＧＡＴＥ情報およびＯＡＭ情報をハードウェアにより周期的に出力する機能を搭載することにより、指定の手順でソフトウェアの更新処理を行うことで、ＯＮＵ装置１およびＯＬＴ装置２のソフトウェア更新によるＣＰＵ再起動中でも、ＯＬＴ装置２とＯＮＵ装置１との間の主信号導通を断ずることなく、通信サービスを継続することが可能となる。
【０１２２】
（Ｂ）他の実施形態
（Ｂ−１）上述した実施形態では、ＰＯＮシステムのプロトコルにギガビットイーサネットを用いたＧＥ−ＰＯＮシステムについて実施例を示しているが、特にＧＥ−ＰＯＮシステムに限らず、その他のＰＯＮシステムに本発明を適用しても同様の効果が得られる。
【０１２３】
また、ＰＯＮシステムに限らず、少なくとも２台の装置間で同様な通信制御を行っている伝送装置に本発明を適用した場合も同様の効果が得られる。
【０１２４】
（Ｂ−２）図１に示すＯＮＵ装置１は、ＭＡＣ  Ｃｏｎｔｒｏｌクライアント部１４およびＯＡＭクライアント部１６がソフトウェア処理で実現し、それ以外の構成要素がハードウェア処理で実現するものとしたが、ＯＮＵ装置１上のＣＰＵの再起動に影響されずに動作可能であれば、ハードウェア処理で行うことに限定されない。
【符号の説明】
【０１２５】
１…ＯＮＵ装置、
１１…Ｅ／Ｏ変換部、１２…ＭＡＣ部、１３…ＭＡＣ  Ｃｏｎｔｒｏｌ処理部、
１４…ＭＡＣ  Ｃｏｎｔｒｏｌクライアント部、１５…ＯＡＭクライアント部、
１７…ＭＡＣクライアント部、
１３４…ＧＡＴＥ処理部、１３５…ＲＥＰＯＲＴ処理部、
１３６…ＧＡＴＥ情報解析処理部、
２…ＯＬＴ装置、
２１…Ｅ／Ｏ変換部、２２…ＭＡＣ部、
２３−１〜２３−ｎ…マルチポイントＭＡＣ  Ｃｏｎｔｒｏｌ処理部、
２４…ＭＡＣ  Ｃｏｎｔｒｏｌクライアント部、２５…マルチポイント送信制御部、
２６…ＯＡＭフレーム処理部、２７…ＯＡＭクライアント部、
２８…ＭＡＣクライアント部、
２３４…ＧＡＴＥ処理部、２３５…ＲＥＰＯＲＴ処理部、
２３６…送信許可帯域設定メモリ部、
２４１…ディスカバリープロトコル処理部、２４２…送信許可帯域計算処理部、
２６３…ＯＡＭ処理部、２６４…ＯＡＭ送信設定メモリ部。
【図１】
0005490513.tif 000002
【図２】
0005490513.tif 000003
【図３】
0005490513.tif 000004
【図４】
0005490513.tif 000005
【図５】
0005490513.tif 000006
【図６】
0005490513.tif 000007
【図７】
0005490513.tif 000008